(57)【要約】【課題】簡便な構成により閉止装置をコンパクトに形成するとともに、開き戸のロック状態を通常の動作により簡単に解除することができる開き戸の閉止装置を提供すること。【解決手段】家具や吊り戸棚等の開き戸を有する収納装置に設けられ、地震時に開き戸Ｄの開放を規制するもので、先端にフック１１を備え、基端が収納装置の本体Ｈ側に揺動可能に枢着されたロックカム１と、ロックカム１の下部を支持して前後に転動可能に配設され、ロックカム１のフック１１を後退位置で上昇させるとともに前進位置で下降させるボール２と、開き戸Ｄ側に配設され、ロックカム１のフック１１が下降位置で係合するストライク３と、開き戸Ｄの閉止動作により摺動し、閉止位置で前記ボール２を後退位置に押し戻すリセットピン４とを備える。【選択図】  図１
2004353272.tif 000002
【特許請求の範囲】
【請求項１】
家具や吊り戸棚等の開き戸を有する収納装置に設けられ、地震時に開き戸の開放を規制する開き戸の閉止装置において、先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とを備えたことを特徴とする開き戸の閉止装置。
【発明の詳細な説明】
【０００１】
【発明の属する技術分野】
本発明は、開き戸の閉止装置に関し、特に、簡便な構成により閉止装置をコンパクトに形成するとともに、開き戸のロック状態を通常の動作により簡単に解除することができる開き戸の閉止装置に関するものである。
【０００２】
【従来の技術】
家具や吊り戸棚等の開き戸を有する収納装置では、地震の揺れにより開き戸が開いて収納物が落下するのを防止するために、最近では、地震時に開き戸の開放を規制する閉止装置が設けられる。
このような開き戸の閉止装置は、収納装置本体に設けられた係止手段が平常時にはケース内に没入状態にあり、地震の揺れによりこの係止手段がケース下方に突出し、この突出した係止手段が開き戸に設けられた係止具に係止して開き戸の開放が規制され、収納物の落下が防止されるようになっている（例えば、特許文献１又は２参照）。
【０００３】
【特許文献１】
特開平８−３２２６６３号公報
【特許文献２】
特開平１０−１６５２４９号公報
【０００４】
【発明が解決しようとする課題】
しかしながら、上記従来の開き戸の閉止装置では、開き戸をわずかに隙間を有した半開きの状態にロックするため、地震が終わった後に、このロック状態を解除するのに特別な解除動作が必ず必要となって非常に面倒であり、また、構造が複雑であることから、装置全体が大きくなり外部から見えたりするという問題を有している。
【０００５】
本発明は、上記従来の開き戸の閉止装置が有する問題点に鑑み、簡便な構成により閉止装置をコンパクトに形成するとともに、開き戸のロック状態を通常の動作により簡単に解除することができる開き戸の閉止装置を提供することを目的とする。
【０００６】
【課題を解決するための手段】
上記目的を達成するため、本発明の開き戸の閉止装置は、家具や吊り戸棚等の開き戸を有する収納装置に設けられ、地震時に開き戸の開放を規制する開き戸の閉止装置において、先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とを備えたことを特徴とする。
【０００７】
この開き戸の閉止装置は、先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とを備えることから、地震により収納装置が揺れて開き戸が開きかけたときに、リセット部材による押圧が解かれたボールが前進位置に移動し、これにより、ロックカムのフックが下降してストライクと係合し、開き戸がロックされる。
そして、地震後は、開き戸を閉止位置に戻すことにより、リセット部材がボールを後退位置に押し戻し、これにより、ロックカムのフックが上昇して、開き戸のロック状態を解除することができる。
【０００８】
【発明の実施の形態】
以下、本発明の開き戸の閉止装置の実施の形態を図面に基づいて説明する。
【０００９】
図１〜図３に、本発明の開き戸の閉止装置の一実施例を示す。
この開き戸の閉止装置は、家具や吊り戸棚等の開き戸を有する収納装置に設けられ、地震時に開き戸Ｄの開放を規制するもので、先端にフック１１を備え、基端が収納装置の本体Ｈ側に揺動可能に枢着されたロックカム１と、該ロックカム１の下部を支持して前後に転動可能に配設され、ロックカム１のフック１１を後退位置で上昇させるとともに前進位置で下降させるボール２と、開き戸Ｄ側に配設され、ロックカム１のフック１１が下降位置で係合するストライク３と、開き戸Ｄの閉止動作により摺動し、閉止位置で前記ボール２を後退位置に押し戻すリセットピン４とを備えている。
【００１０】
ロックカム１は、収納装置の本体Ｈに固定されたケース５に基端が軸１３により枢着され、この軸１３を中心に揺動することにより、先端に形成された下向きのフック１１を昇降させる。
このロックカム１の下部には、後退位置のボール２にその頂部よりやや前で当接する凸部１２が形成されている。
なお、ロックカム１のフック１１側は、ケース５のスリット５１を介して開き戸Ｄ側に突出している。
【００１１】
ボール２は、ケース５の下部に凹設されたボール室５２に前後に転動可能に配設されており、後退位置でロックカム１の凸部１２に当接することによりロックカム１を下から支持している。
そして、このボール２は、図１に示すように、後退位置では、凸部１２に当接することによりロックカム１のフック１１を上昇させるとともに、前進位置では、凸部１２から外れることによりロックカム１のフック１１を下降させる。
また、ボール２を収容するボール室５２の底壁には、後退位置のボール２にその底頂部よりやや前で当接する凸部５３が形成されるとともに、この凸部５３から前方にかけては、ボール２が転動しやすいように下り傾斜が付けられている。
【００１２】
ストライク３は、開き戸Ｄに固定されたコ字状の部材からなり、図１に示すように、ロックカム１のフック１１が下降したときに、該フック１１と係合することにより開き戸Ｄがそれ以上開かないようにロックする。
このストライク３の頂部３１には、リセットピン４の先端が当接し、リセットピン４は、このストライク３を介して開き戸Ｄの閉止動作により摺動する。
【００１３】
リセットピン４は、リセット部材として、ボール室５２の前方に形成されたケース５のピン穴５４に摺動可能に配設されており、ボール室５２側に頭部４１を設けて抜け止めされている。
このリセットピン４は、開き戸Ｄの閉止動作によりストライク３を介して先端が押圧され、図１（ａ）に示すように、開き戸Ｄが閉止した状態では、ボール２を後退位置に押し戻す長さに設定されている。
なお、本実施例においては、リセットピン４を、ボール室５２の前方に形成されたケース５のピン穴５４に摺動可能に配設するようにしたが、ストライク３等の開き戸Ｄ側に配設することもできる。
【００１４】
かくして、本実施例の開き戸の閉止装置は、先端にフック１１を備え、基端が収納装置の本体Ｈ側に揺動可能に枢着されたロックカム１と、該ロックカム１の下部を支持して前後に転動可能に配設され、ロックカム１のフック１１を後退位置で上昇させるとともに前進位置で下降させるボール２と、開き戸Ｄ側に配設され、ロックカム１のフック１１が下降位置で係合するストライク３と、開き戸Ｄの閉止動作により摺動し、閉止位置で前記ボール２を後退位置に押し戻すリセットピン４とを備えることから、図１（ｂ）に示すように、地震により収納装置が揺れて開き戸Ｄが開きかけたときに、リセットピン４による押圧が解かれたボール２が前進位置に移動し、これにより、図１（ｃ）に示すように、ロックカム１のフック１１が下降してストライク３と係合し、開き戸Ｄがロックされる。
そして、地震後は、図１（ｃ）〜（ａ）に示すように、開き戸Ｄを閉止位置に戻すことにより、リセットピン４がボール２を後退位置に押し戻し、これにより、ロックカム１のフック１１が上昇して、開き戸Ｄのロック状態を解除することができる。
このように、本実施例の開き戸の閉止装置は、簡便な構成により閉止装置をコンパクトに形成するとともに、開き戸Ｄのロック状態を通常の動作により極めて簡単に解除することができる
【００１５】
以上、本発明の実施例を説明したが、本発明の開き戸の閉止装置の構成は、この実施例の記載に限定されるものではなく、例えば、リセットピンを揺動するようなリセット部材で構成するなど、その趣旨を逸脱しない範囲において適宜に変更することが可能である。
【００１６】
【発明の効果】
本発明の開き戸の閉止装置によれば、開き戸の閉止装置は、先端にフックを備え、基端が収納装置の本体側に揺動可能に枢着されたロックカムと、該ロックカムの下部を支持して前後に転動可能に配設され、ロックカムのフックを後退位置で上昇させるとともに前進位置で下降させるボールと、開き戸側に配設され、ロックカムのフックが下降位置で係合するストライクと、開き戸の閉止動作により作動し、閉止位置で前記ボールを後退位置に押し戻すリセット部材とを備えることから、地震により収納装置が揺れて開き戸が開きかけたときに、リセット部材による押圧が解かれたボールが前進位置に移動し、これにより、ロックカムのフックが下降してストライクと係合し、開き戸がロックされる。
そして、地震後は、開き戸を閉止位置に戻すことにより、リセット部材がボールを後退位置に押し戻し、これにより、ロックカムのフックが上昇して、開き戸のロック状態を解除することができる。
このように、本発明の開き戸の閉止装置は、簡便な構成により閉止装置をコンパクトに形成するとともに、開き戸のロック状態を通常の動作により極めて簡単に解除することができる
【図面の簡単な説明】
【図１】本発明の開き戸の閉止装置の一実施例を示し、（ａ）は開き戸の閉止状態の断面図、（ｂ）は開き戸が開きかけた状態の断面図、（ｃ）は開き戸をロックした状態を示す断面図である。
【図２】同実施例のケースを示し、（ａ）は平面図、（ｂ）は一部を残した断面正面図、（ｃ）は底面図、（ｄ）は右側面図である。
【図３】（ａ）はロックカムの正面図、（ｂ）は同底面図、（ｃ）はストライクの平面図、（ｄ）は同側面図、（ｅ）はボールの正面図、（ｆ）はリセットピンの正面図、（ｇ）は同右側面図である。
【符号の説明】
１    ロックカム
１１  フック
１２  凸部
１３  軸
２    ボール
３    ストライク
３１  頂部
４    リセットピン
４１  頭部
５    ケース
５１  スリット
５２  ボール室
５３  凸部
５４  ピン穴
Ｄ    開き戸
Ｈ    収納装置の本体
【図１】
2004353272.tif 000003
【図２】
2004353272.tif 000004
【図３】
2004353272.tif 000005